(57)【特許請求の範囲】
【請求項１】
地盤上に設けられた鉄筋コンクリート造又は鉄骨鉄筋コンクリート造の基礎大梁と、
前記基礎大梁の上に架設された連続梁構造の鉄骨小梁と、
前記鉄骨小梁の上に、コンクリートを打設して設けられたスラブと、
を備え、
前記基礎大梁は前記地盤上に並列に設けられ、
前記鉄骨小梁は、両端部を構成し前記基礎大梁に接合された第一小梁と、前記第一小梁の間を構成する一又は複数の第二小梁と、を有し、
前記第二小梁の梁成は、前記第一小梁の梁成よりも小さい、
基礎構造。
【請求項２】
前記鉄骨小梁は、前記第一小梁と前記第二小梁とがプレート材を介してボルト接合されたゲルバー梁とされている、
請求項１の基礎構造。
【請求項３】
地盤上に設けられた基礎大梁と、
前記基礎大梁の上に架設された連続梁構造の鉄骨小梁と、
前記鉄骨小梁の上に、コンクリートを打設して設けられたスラブと、
を備え、
前記基礎大梁は前記地盤上に並列に設けられ、
前記鉄骨小梁は、両端部を構成し前記基礎大梁に接合された第一小梁と、前記第一小梁の間を構成する一又は複数の第二小梁と、を有している、
基礎構造の施工方法であって、
前記鉄骨小梁の前記第一小梁を前記基礎大梁に接合する第一工程と、
一部の前記第一小梁に前記第二小梁に接合する第二工程と、
を有し、
前記第二工程の後に、前記第二小梁を接合していない前記基礎大梁と前記基礎大梁との間を工事車両が移動する、
基礎構造の施工方法。
【発明の詳細な説明】
【技術分野】
【０００１】
本発明は、基礎構造及び基礎構造の施工方法に関する。
【背景技術】
【０００２】
特許文献１には、対向する基礎梁間に基礎小梁が架設され、これら基礎梁および基礎小梁上に最下階（１階）の床スラブが支持されている基礎構造が開示されている。
【先行技術文献】
【特許文献】
【０００３】
【特許文献１】特開２００６−１０４７４０号公報
【発明の概要】
【発明が解決しようとする課題】
【０００４】
特許文献１の基礎構造は、地盤に支持された基礎小梁が基礎梁間に並列配置された構造であり、基礎梁の上に小梁が架設された構造は開示されていない。
【０００５】
ここで、基礎大梁の上に鉄筋コンクリート造の小梁を架設した基礎構造は、コンクリート造の小梁の配筋や型枠の施工が必要であり、施工性の向上の観点から改善の余地があった。
【０００６】
本発明は上記事実を鑑み、基礎大梁に小梁を架設する場合の施工性を向上することが目的である。
【課題を解決するための手段】
【０００７】
第一態様の基礎構造は、地盤上に設けられた基礎大梁と、前記基礎大梁の上に架設された連続梁構造の鉄骨小梁と、前記鉄骨小梁の上に、コンクリートを打設して設けられたスラブと、を備えている。
【０００８】
第一態様の基礎構造では、基礎大梁の上に連続梁構造の鉄骨小梁を架設した構造とすることで、基礎大梁に架設する小梁が鉄筋コンクリート造の場合と比較し、配筋や型枠の施工が不要となるので、施工性が向上する。
【０００９】
また、鉄骨小梁を連続梁構造とすることで、鉄骨小梁が単純梁構造の場合と比較し、梁中央部の応力を小さくできるので、鉄骨小梁の梁成を低くすることができる。よって、鉄骨小梁のコストが削減する。
【００１０】
第二態様の基礎構造は、前記鉄骨小梁は、ゲルバー梁とされている。
【００１１】
第二態様の基礎構造では、鉄骨小梁をゲルバー梁とすることで、曲げモーメントが伝達されないので、中央部の梁成を低くでき、この結果、鉄骨小梁のコストが削減する。
【００１２】
第三態様の基礎構造は、前記基礎大梁は前記地盤上に並列に設けられ、前記鉄骨小梁は、両端部を構成し前記基礎大梁に接合された第一小梁と、前記第一小梁の間を構成する一又は複数の第二小梁と、を有している。
【００１３】
第三態様の基礎構造では、基礎大梁を並列に設けて鉄骨小梁の第一小梁を接合し、第二小梁を設ける前の状態の基礎大梁間を、例えば工事車両が移動できるので、施工性がよい。
第四態様の基礎構造の施工方法は、第三態様に記載の基礎構造の施工方法であって、前記鉄骨小梁の前記第一小梁を前記基礎大梁に接合する第一工程と、一部の前記第一小梁に前記第二小梁に接合する第二工程と、を有し、前記第二工程の後に、前記第二小梁を接合していない前記基礎大梁と前記基礎大梁との間を工事車両が移動する。
【発明の効果】
【００１４】
本発明によれば、基礎大梁に小梁を架設する場合の施工性を向上することができる。
【図面の簡単な説明】
【００１５】
【図１】（Ａ）は本発明の基礎構造が適用された建物の最下層部のＸ方向に沿った縦断面図であり、（Ｂ）は曲げモーメント図である。
【図２】図１（Ａ）の鉄骨小梁の第二小梁を接合する前の状態の縦断面図である。
【図３】際下層部の一部の鉄骨小梁に第二小梁を接合する前の状態の平面図である。
【図４】本発明の基礎構造が適用された建物の最下層部のスラブを打設する前の平面図である。
【発明を実施するための形態】
【００１６】
図１〜図４を用いて、本発明の一実施形態の基礎構造について説明する。なお、各図中の矢印Ｚは鉛直方向を示し、矢印Ｘは後述する小梁の梁方向を示し、矢印Ｙに後述する大梁の梁方向を示す。なお、Ｘ方向とＹ方向とは互いに直交している。
【００１７】
＜構造＞
先ず、一実施形態の基礎構造１０が適用された建物１５の最下層部１６の構造について説明する。
【００１８】
図１（Ａ）及び図４に示すように、本実施形態の基礎構造１０が適用された建物１５の最下層部１６には、基礎大梁５０と鉄骨小梁７０とが設けられている。
【００１９】
基礎大梁５０は、本実施形態では、鉄筋コンクリート造とされ、図１（Ａ）に示すように、地盤１２上にＹ方向に沿って設けられている。なお、基礎大梁５０内部には、図示されていないＹ方向に沿って配筋された梁主筋と、梁主筋の周りに配筋されたせん断補強筋とが埋設されている。また、図４に示すように、基礎大梁５０は、Ｘ方向に間隔をあけて並列に設けられている。
【００２０】
図１（Ａ）に示すように、基礎大梁５０の上端部５２に、Ｘ方向に沿った鉄骨小梁７０が載せ掛けられて接合されている。なお、基礎大梁５０に埋設されたアンカー５４を介して鉄骨小梁７０が接合されている。また、図４に示すように、鉄骨小梁７０は、Ｙ方向に間隔をあけて並列に設けられている。
【００２１】
図１（Ａ）に示すように、鉄骨小梁７０は、両端部を構成し基礎大梁５０に接合された第一小梁８０と、第一小梁８０と第一小梁８０との間に設けられた第二小梁９０と、で構成された連続梁とされている。更に、本実施形態の連続梁構造の鉄骨小梁７０は、第一小梁８０と第二小梁９０との接合部位が、計算上、曲げ応力が作用しない部位（図１（Ｂ）のＧ点）とされ、プレート材７２を介してボルト接合（ピン接合）したゲルバー梁である。また、鉄骨小梁７０を構成する第二小梁９０の梁成は、第一小梁８０の梁成よりも低い。そして、この鉄骨小梁７０の上にスラブ２０が設けられている。
【００２２】
なお、図１（Ａ）に示すように、本実施形態では、基礎大梁５０は、地盤１２上に打設された施工地盤１４の上に設けられている。また、本実施形態では、造成工事の施工地盤１４（すきとり底）に基礎大梁底を合わせ、床下を地下ピットとすることで埋戻し土をなくし、土工事コストの削減及び工期短縮を図っている。また、地下ピットは、設備のユーティリティールートやクールピットに有効利用される。
【００２３】
（施工方法）
次に、本実施形態の施工方法の一例について説明する。
【００２４】
図２に示すように、基礎大梁５０を地盤１２上に並列に設置し、基礎大梁５０の上端部５２に、まず鉄骨小梁７０の第一小梁８０を接合する。図３に示すように、一部の鉄骨小梁７０には第二小梁９０を接合し、一部の鉄骨小梁７０には第二小梁９０を接合せずに後施工とする。
【００２５】
そして、鉄骨小梁７０の第二小梁９０を接合していない基礎大梁５０と基礎大梁５０との間を工事車両１００が移動する。
【００２６】
＜作用及び効果＞
次に、本実施形態の作用及び効果について説明する。
【００２７】
基礎大梁５０の上に連続梁構造の鉄骨小梁７０を架設した構造とすることで、基礎大梁５０に架設する小梁が鉄筋コンクリート造の場合と比較し、配筋や型枠の施工が不要となるので、施工性が向上する。
【００２８】
また、鉄骨小梁７０を連続梁構造とすることで、単純梁構造の場合と比較し、梁中央部の応力を小さくできる。また、鉄骨小梁７０の第二小梁９０は支点間が短い。したがって、鉄骨小梁７０の第二小梁９０の梁成を低くすることができる。よって、鉄骨小梁７０のコストが削減する。
【００２９】
更に、鉄骨小梁７０をゲルバー梁とすることで、曲げモーメントが伝達されないので、第二小梁９０の梁成を更に低くでき、この結果、鉄骨小梁７０のコストが更に削減する。
【００３０】
また、基礎大梁５０を並列に設けて鉄骨小梁７０の第一小梁８０を接合し、第二小梁９０を設ける前の状態の基礎大梁５０と基礎大梁５０との間を、工事車両１００が移動できるので、施工性がよい。
【００３１】
＜その他＞
尚、本発明は上記実施形態に限定されない。
【００３２】
例えば、上記実施形態では、鉄骨小梁７０は、両端部を構成し基礎大梁５０に接合された第一小梁８０と、第一小梁８０と第一小梁８０との間に設けられた第二小梁９０と、で構成された連続梁構造とされているが、これに限定されない。第二小梁９０は複数であってもよいし、また、ゲルバー梁でなくてもよい。つまり、鉄骨小梁７０は連続梁構造であればよい。
【００３３】
また、例えば、上記実施形態では、基礎大梁５０は、鉄筋コンクリート造とされていたが、これに限定されない。基礎大梁５０は、鉄骨鉄筋コンクリート造であってもよいし、鉄骨造であってもよい、
【００３４】
また、例えば、上記実施形態では、基礎大梁５０は並列配置されているが、これに限定されない。基礎大梁５０は格子状に配置されていてもよい。また、建物１５の最下層部１６の一部（例えば、工事車両１００の動線となる）領域のみ、基礎大梁５０が並列配置されていてもよい。
【００３５】
更に、本発明の要旨を逸脱しない範囲において種々なる態様で実施し得ることは言うまでもない
【符号の説明】
【００３６】
１２      地盤
５０      基礎大梁
７０      鉄骨小梁
８０      第一小梁
９０      第二小梁
【図１】
0006749082.tif 000002
【図２】
0006749082.tif 000003
【図３】
0006749082.tif 000004
【図４】
0006749082.tif 000005